【手続補正書】
【提出日】平成22年10月2日(2010.10.2)
【手続補正１】
【補正対象書類名】特許請求の範囲
【補正対象項目名】全文
【補正方法】変更
【補正の内容】
【特許請求の範囲】
【請求項１】
患者看護をユーザに教授するインタラクティブ教育システムであって、
少なくとも母体の心拍数および呼吸数をシミュレートする母体シミュレータであって、出産シミュレーションにおいて、並進運動および選択的回転運動を胎児シミュレータに提供する機構を有し、外部装置と物理的に接続されることなく動作可能である、前記母体シミュレータと、
前記母体シミュレータと伴に使用され、出産後シミュレーションにおいて前記母体シミュレータから分離される胎児シミュレータであって、少なくとも胎児の心拍数および呼吸数をシミュレートし、前記母体シミュレータと分離されるとき、外部装置と物理的に接続されることなく動作可能である、前記胎児シミュレータと、
を有するシステム。
【請求項２】
請求項１記載のシステムにおいて、前記胎児シミュレータは、前記出産シミュレーションにおいて、前記胎児シミュレータの吸引分娩を容易にするようになっている頭部を有するものである。
【請求項３】
請求項２記載のシステムにおいて、前記胎児シミュレータは、前記出産シミュレーション中に前記頭部に加えられた力を監視するための頭部センサを有するものである。
【請求項４】
請求項３記載のシステムにおいて、前記頭部センサは、前記頭部に近接した、前記シミュレータの頸部に配置されるものである。
【請求項５】
請求項３記載のシステムにおいて、このシステムは、さらに、
前記頭部センサと通信する出力装置を有し、この出力装置は前記加えられた力の量に基づいて出力を供給するように動作可能である。
【請求項６】
請求項１記載のシステムにおいて、前記胎児シミュレータは、前記母体シミュレータの前記機構と選択的に係合するための装置を有するものである。
【請求項７】
請求項６記載のシステムにおいて、前記胎児シミュレータは、前記装置が選択的に係合している場合は出産シミュレーション中に前記母体シミュレータから取外し可能ではなく、前記装置が選択的に係合していない場合は出産シミュレーション中に前記母体シミュレータから取外すことが可能である。
【請求項８】
請求項７記載のシステムにおいて、前記装置は前記胎児シミュレータの胴体内に配置されるものである。
【請求項９】
請求項１記載のシステムにおいて、前記胎児シミュレータは、２つの肩部と、各肩部内に配置された肩センサとを含み、この肩センサにより前記出産シミュレーション中に前記肩部に加えられた力が監視されるものである。
【請求項１０】
請求項１記載のシステムにおいて、前記胎児シミュレータは、２つの股関節部と、各股関節内の股関節部センサとを含み、この股関節部センサにより前記出産シミュレーション中に前記股関節部に加えられた力が監視されるものである。
【請求項１１】
請求項１記載のシステムにおいて、前記胎児シミュレータは、前記出産シミュレーション中に前記胎児シミュレータに加えられた力を監視するセンサを有するものである。
【請求項１２】
請求項１１記載のシステムにおいて、このシステムは、さらに、
前記センサと通信する出力装置を有し、この出力装置は前記胎児シミュレータに加えられた力の量に基づいて出力を供給するように動作可能である。
【請求項１３】
請求項１記載のシステムにおいて、前記胎児シミュレータは、シミュレートされた心臓および肺を含む人体の少なくとも一部位の模型を有するものである。
【請求項１４】
請求項１３記載のシステムにおいて、前記胎児シミュレータは、２８週および４０週からな成るグループから選択される在胎期間におけるほぼ平均的なサイズの新生児のサイズである。
【請求項１５】
請求項１３記載のシステムにおいて、前記胎児シミュレータは、呼吸をシミュレートするために前記肺に接続された空気供給システムを有するものである。
【請求項１６】
請求項１５記載のシステムにおいて、前記空気供給システムは、コンプレッサと、前記コンプレッサに接続された一次アキュムレータと、前記コンプレッサに接続された二次アキュムレータと、前記コンプレッサと通信して当該コンプレッサの出力圧力を制御するためのコンプレッサ・コントローラとを有するものである。
【請求項１７】
請求項１６記載のシステムにおいて、前記コンプレッサは、騒音遮断体（ｎｏｉｓｅ  ｂａｒｒｉｅｒ）により絶縁されているものである。
【請求項１８】
請求項１７記載のシステムにおいて、前記騒音遮断体は、遮音体（ａｃｏｕｓｔｉｃ  ｂａｒｒｉｅｒ）物質で作られた第一の層と、マスバリヤ（ｍａｓｓ  ｂａｒｒｉｅｒ）物質で作られた第二の層とを有する。
【請求項１９】
請求項１７記載のシステムにおいて、前記コンプレッサおよび前記騒音遮断体は、前記胎児シミュレータの頭部内に配置され、前記一次および二次アキュムレータは、前記胎児シミュレータの一対の脚内に配置されるものである。
【請求項２０】
請求項１５記載のシステムにおいて、前記空気供給システムは、シミュレートされた循環系と接続されているものである。
【請求項２１】
請求項２０記載のシステムにおいて、前記空気供給システムは、さらに、前記シミュレートされた循環系に、シミュレートされた脈拍を提供するようになっているものである。
【請求項２２】
請求項２１記載のシステムにおいて、前記胎児シミュレータは、中枢部と、当該中枢部から距離をおいて放射状に配置された末梢部と、前記胎児シミュレータのチアノーゼをシミュレートするために、前記中枢部および前記末梢部の色彩を独立して変化させる機構とを有するものである。
【請求項２３】
患者看護をユーザに教授するインタラクティブ教育システムであって、
少なくとも母体の心拍数および呼吸数をシミュレートする母体シミュレータであって、出産シミュレーションにおいて、回転運動および並進運動を胎児シミュレータに提供する機構を有するものである、前記母体シミュレータと、
前記母体シミュレータと伴に使用され、出産後シミュレーションにおいて前記母体シミュレータから分離される胎児シミュレータであって、少なくとも胎児の心拍数および呼吸数をシミュレートするものである、前記胎児シミュレータと
を有し、
前記母体シミュレータは、外部装置と物理的に接続されることなく動作可能であり、
前記胎児シミュレータは、前記母体シミュレータと分離されるとき、外部装置と物理的に接続されることなく動作可能である
システム。
【請求項２４】
請求項２３記載のシステムにおいて、前記母体シミュレータは、さらに、
内部電源を含むものである。
【請求項２５】
請求項２４記載のシステムにおいて、前記内部電源は、少なくとも１の充電池を有するものである。
【請求項２６】
請求項２３記載のシステムにおいて、前記胎児シミュレータは、外部装置との物理的な接続なしに動作可能である。
【請求項２７】
請求項２６記載のシステムにおいて、前記胎児シミュレータは、前記母体シミュレータの前記機構と選択的に係合するための装置を有し、前記胎児シミュレータは、前記装置が選択的に係合している場合は出産シミュレーション中に前記母体シミュレータから取外し可能ではなく、前記装置が選択的に係合していない場合は出産シミュレーション中に前記母体シミュレータから取外すことが可能である。
【請求項２８】
請求項２７記載のシステムにおいて、前記胎児シミュレータは、シミュレートされた心臓および肺を含む人体の少なくとも一部位の模型を有するものである。
【請求項２９】
請求項２８記載のシステムにおいて、前記胎児シミュレータは、呼吸をシミュレートするために前記肺に接続された空気供給システムを含み、前記空気供給システムは、コンプレッサと、前記コンプレッサに接続された一次アキュムレータと、前記コンプレッサに接続された二次アキュムレータと、前記コンプレッサと通信して当該コンプレッサの出力圧力を制御するためのコンプレッサ・コントローラとを有するものである。
【請求項３０】
請求項２９記載のシステムにおいて、前記コンプレッサは、騒音遮断体で絶縁されており、前記騒音遮断体は、遮音体物質で作られた第一の層と、マスバリヤ物質で作られた第二の層とを有するものである。
【請求項３１】
請求項３０記載のシステムにおいて、前記コンプレッサおよび前記騒音遮断体は、前記胎児シミュレータの頭部内に配置され、前記一次および二次アキュムレータは、前記胎児シミュレータの一対の脚内に配置されるものである。
【請求項３２】
請求項２３記載のシステムにおいて、前記母体シミュレータの前記機構の一部は、前記胎児シミュレータに回転運動を提供する第一の位置と前記胎児シミュレータに回転運動を提供しない第二の位置との間で選択的に移動可能である。
【請求項３３】
請求項３２記載のシステムにおいて、前記機構の一部は、前記第一の位置と前記第二の位置との間の第三の位置に選択的に移動可能であり、前記第三の位置においては、前記第一の位置よりも、前記胎児シミュレータに提供される回転運動量が少ないものである。
【手続補正２】
【補正対象書類名】明細書
【補正対象項目名】０００３
【補正方法】変更
【補正の内容】
【０００３】
患者看護教育における別の課題は、ユーザに教えるために用いる患者シミュレータが受動的であることである。例えば、出産のシミュレーションにおいて、ユーザはシミュレーション用胎児をシミュレートされた母体の骨盤内に配置し、これを産道経由で降ろし、胎児の頭部を娩出させ、胎児を約９０°回転させて肩を娩出させ、最後に胎児を引き出す（この時点で「新生児」と称することになる）必要がある。実際の分娩における一連の事象を模倣している一方で、ユーザが胎児を物理的に操作するということで迫真性に欠けており、患者看護を行う難しさを察しにくくなる。実際の分娩においては、胎児にアクセスすることはできず、ほとんどの動きは隠れて見えないようになっており、先行技術によるシステムは出産中に患者看護を提供するという最も難しい状況に対応していない。さらに、先行技術によるシステムは、胎児が産道を通って降りて来る時の子宮頚部拡張をシミュレーションしないため、学生が分娩の段階を評価したり、分娩の進展を評価するための子宮頚部拡張の対時間拡張図（「分娩記録」）を作成することができない。
患者看護教育におけるさらに別の課題は、システムがかさばり過ぎ、また、他の構成部品への必要配線接続の本数が多過ぎることが多く、そのため、シミュレータを他の位置に動かしにくいことである。「可搬式」と称されているシステムでも、シミュレータを完全に機能させるためには、コンプレッサや電源など数多く接続部品を移動する必要があることが多い。この課題の解決策は、外部装置とワイヤレスで通信する完全機能型・独立式シミュレータにすることである。従って、より現実に近いシミュレーション用患者を含む、患者看護訓練セッションの実施に用いるインタラクティブ教育システム用のシステムが必要である。
【先行技術文献】  
【特許文献】
【手続補正３】
【補正対象書類名】明細書
【補正対象項目名】０００４
【補正方法】変更
【補正の内容】
【０００４】
【特許文献１】米国特許出願公開第２００３／０７３０６０号明細書
【特許文献２】国際公開第２００２／２９７６５号
【特許文献３】米国特許第３，８２２，４８６号明細書